(57)【特許請求の範囲】
【請求項１】
対向する一対の足場用建枠の横材間に架け渡された足場板の側方部に形成される隙間を塞ぐ隙間塞ぎ板付き幅木であって、両端下部を両足場用建枠の横材上に支持させるようにした幅木本体と、この幅木本体の下端部からほぼ直角に一体に延びて、その先端側縁部を足場板上に載置させるようにした隙間塞ぎ板と、幅木本体の両端部を両足場用建枠の縦材に夫々固定させる一対の固定金具とからなる隙間塞ぎ板付き幅木であって、
前記一対の固定金具の一方は、一方の足場用建枠の縦材外周面に係合する係合凹部を備えた金具本体の基端部を幅木本体の一端部に水平周りに回転可能に枢着すると共に、この金具本体を、幅木本体の一端部からその長手方向外方へ突出する収納位置と、収納位置から外回りにほぼ９０度回転した使用位置との両位置で固定可能にして、その使用位置で係合凹部を前記縦材外周面に係合させるようにし、他方の固定金具は、他方の足場用建枠の縦材外周面に係合する係合凹部を備えた金具本体を幅木本体の他端部に水平周りに回転可能に枢着すると共に、常時はバネによって幅木本体の他端部からその長手方向外方へ突出する収納位置に付勢され、バネに抗して金具本体を収納位置から外周りに９０度以上回転させた状態からほぼ９０度に戻した使用位置で係合凹部が前記縦材外周面に係合されると共に、この使用位置でロックピンにより固定金具をロックするようにしてなる隙間塞ぎ板付き幅木。
【請求項２】
対向する一対の足場用建枠の横材間に架け渡された足場板の側方部に形成される隙間を塞ぐ隙間塞ぎ板付き幅木であって、両端下部を両足場用建枠の横材上に支持させるようにした幅木本体と、この幅木本体の下端部からほぼ直角に一体に延びて、その先端側縁部を足場板上に載置させるようにした隙間塞ぎ板と、幅木本体の両端部を両足場用建枠の縦材に夫々固定させる一対の固定金具とからなる隙間塞ぎ板付き幅木であって、
前記幅木本体と隙間塞ぎ板とは金属板により一体に形成されたもので、幅木本体の外面上部側に凹溝部が全長に亘って凹設され、この凹溝部の両端部に固定金具が夫々配備されていて、この凹溝部に隣接する幅木本体の外面側下部に、凹溝部の深さに対応する突出高さの凸状部が幅木本体の全長に亘って突設されている隙間塞ぎ板付き幅木。
【請求項３】
前記幅木本体と隙間塞ぎ板との対向角度が鈍角になるように形成してなる請求項１又は２に記載の隙間塞ぎ板付き幅木。
【発明の詳細な説明】
【技術分野】
【０００１】
本発明は、建設作業現場で枠組みされる仮設枠組足場において、対向する一対の足場用建枠の両横材間に架け渡された足場板の側方部に形成される隙間（詳しくは、足場板と両足場用建枠の縦材側との間に形成される隙間）を塞ぐ隙間塞ぎ板を取り付けた幅木に関する。
【背景技術】
【０００２】
在来の足場用建枠及び足場板を使用して、対向する足場用建枠の両横材間に足場板を架け渡した場合、その架け渡した足場板の一側端部と、両足場用建枠の縦材側（正確には、両足場用建枠の対向する縦材を結ぶライン）との間に隙間が生ずる。具体的に、例えば、スパンが９１４ｍｍの建枠を使用して、対向する一対の建枠の両横材間に、５００ｍｍ幅の足場板と２４０ｍｍ幅の足場板を並列に架け渡し、両足場板を互いに接する状態で一方の縦材側へ引き寄せると、他方の縦材側と足場板との間には、約１３０ｍｍ程度の隙間ができる。
【０００３】
足場板と建枠の縦材側との間に上記のような隙間ができると、作業者が足を踏み外すおそれがあって非常に危険であるために、従来では、その隙間に隣接する側の足場板の側端部上に幅木を起立状態に設置して、足を踏み外すことがないようにしている。
【発明の概要】
【発明が解決しようとする課題】
【０００４】
上記のように隙間に隣接する側の足場板の側端部上に幅木を設置することにより、一応の安全性は確保できるが、足場板の一側端部と両足場用建枠の縦材側との間の隙間分だけ作業床の有効面積が狭くなる、という問題がある。
【０００５】
本発明は、上記の事情に鑑み、対向する一対の足場用建枠の両横材間に架け渡された足場板の側方部に形成される隙間（即ち、足場板と対向する両足場用建枠の縦材側との間の隙間）を塞ぐことができて、作業床の有効面積を広くとることができると共に、工具不要で建枠の縦材に容易に取り付けることができる隙間塞ぎ板付き幅木を提供することを目的とする。
【課題を解決するための手段】
【０００６】
上記課題を解決するための手段を、後述する実施形態の参照符号を付して説明すると、請求項１に係る発明は、対向する一対の足場用建枠２，２の横材３，３間に架け渡された足場板３０の側方部に形成される隙間Ｓを塞ぐ隙間塞ぎ板５付き幅木１であって、両端下部を両足場用建枠２，２の横材３，３上に支持させるようにした幅木本体６と、この幅木本体６の下端部からほぼ直角に一体に延びて、先端側縁部を足場板３０上に載置するようにした隙間塞ぎ板５と、幅木本体６の両端部を両足場用建枠２，２の縦材４，４に夫々固定させる一対の固定金具７，８とからなる隙間塞ぎ板付き幅木であって、
前記一対の固定金具７，８の一方７は、一方の足場用建枠２の縦材４外周面に係合する係合凹部１２ｏを備えた金具本体１２の基端部を幅木本体６の一端部に水平周りに回転可能に枢着すると共に、この金具本体１２を、幅木本体６の一端部からその長手方向外方へ突出する収納位置と、収納位置から外回りにほぼ９０度回転した使用位置との両位置で固定可能にして、その使用位置で係合凹部１２ｏを前記縦材４外周面に係合させるようにし、他方の固定金具８は、他方の足場用建枠２の縦材４外周面に係合する係合凹部１４ｏを備えた金具本体１４を幅木本体６の他端部に水平周りに回転可能に枢着すると共に、常時はバネ１６によって幅木本体６の他端部からその長手方向外方へ突出する収納位置に付勢され、バネ１６に抗して金具本体１４を収納位置から外周りに９０度以上回転させた状態からほぼ９０度に戻した使用位置で係合凹部１４ｏが前記縦材４外周面に係合されると共に、この使用位置でロックピン１７により固定金具８をロックするようにしてなることを特徴とする。 
【０００８】
請求項２に係る発明は、対向する一対の足場用建枠２，２の横材３，３間に架け渡された足場板３０の側方部に形成される隙間Ｓを塞ぐ隙間塞ぎ板５付き幅木１であって、両端下部を両足場用建枠２，２の横材３，３上に支持させるようにした幅木本体６と、この幅木本体６の下端部からほぼ直角に一体に延びて、先端側縁部を足場板３０上に載置するようにした隙間塞ぎ板５と、幅木本体６の両端部を両足場用建枠２，２の縦材４，４に夫々固定させる一対の固定金具７，８とからなる隙間塞ぎ板付き幅木であって、
前記幅木本体６と隙間塞ぎ板５とは金属板により一体に形成されたもので、幅木本体６の外面上部側に凹溝部９が全長に亘って凹設され、この凹溝部９の両端部に固定金具７，８が夫々配備されていて、この凹溝部９に隣接する幅木本体６の外面側下部には、凹溝部９の深さに対応する突出高さの凸状部１０が幅木本体６の全長に亘って突設されていることを特徴とする。
【０００９】
請求項３は、請求項１又は２に記載の隙間塞ぎ板付き幅木において、前記幅木本体６と隙間塞ぎ板５との対向角度θが鈍角になるように形成してなることを特徴としている。
【発明の効果】
【００１０】
上記解決手段による発明の効果を、後述する実施形態の参照符号を付して説明すると、請求項１に係る発明の隙間塞ぎ板付き幅木は、両端下部を両足場用建枠２，２の横材３，３上に支持させるようにした幅木本体６と、幅木本体６の下端部からほぼ直角に一体に延びて、先端側縁部を足場板３０上に載置するようにした隙間塞ぎ板５と、幅木本体６の両端部を両足場用建枠２，２の縦材４，４に夫々固定させる一対の固定金具７，８とからなるもので、幅木本体６の両端下部を両足場用建枠２，２の横材３，３上に支持させ、隙間塞ぎ板５の先端部を足場板３０上に載置して、幅木本体６の両端部を固定金具７，８により両足場用建枠２，２の縦材４，４に固定するだけで、足場板３０の側方部に形成される隙間Ｓを隙間塞ぎ板５によって塞ぐことができ、作業の安全を確保できると共に、作業床の有効面積を広くとることができる。また、この幅木は、隙間塞ぎ板５と幅木本体６とが一体に形成された簡単な構造で、部品点数が少ないため、製作が容易でコストの低廉化を図ることができる。
【００１１】
又、本発明の隙間塞ぎ板付き幅木によれば、一方の固定金具７の金具本体１２を手で収納位置からほぼ９０度回転させて使用位置に固定し、他方の固定金具８の金具本体１４は収納位置に保持させたまま、幅木１の全体を所要高さに持ち上げ、幅木本体６の一端部側を一方の足場用建枠２の縦材４に近づけて、一方の固定金具７の金具本体１２の係合凹部１２ｏを縦材４外周面に係合させ、他方の固定金具８の金具本体１４をバネ１６に抗して手で例えば１２０度程度まで回転させた状態で、幅木本体６の当該端部を他方の足場用建枠２の縦材４に近づけて、両方の固定金具７，８を両足場用建枠２，２の縦材４，４間に納めた後、金具本体１４から手を離して係合凹部１４ｏを縦材４の外周面に係合させ、斯かる状態で隙間塞ぎ板５の先端部を足場板３０の側端部上に載置すると共に、幅木本体６の下側縁両端部を両足場用建枠２，２の横材３，３上に支持させ、この後、ロックピン１７により固定金具８をロックすればよいから、幅木１の設置作業を、工具を用いることなく、手作業で簡単容易に行うことができる。
【００１２】
請求項２に係る発明によれば、梱包にあたって隙間塞ぎ板５付き幅木１の複数枚を各幅木本体６が上下に重なるように積み重ね積層する時に、幅木本体６どうしの納まりが良く、各幅木本体６が水平姿勢で平行に積層されて、安定した積層梱包が可能となる。
【００１３】
請求項３に係る発明によれば、幅木本体６と隙間塞ぎ板５との対向角度θが鈍角になるように形成しているから、対向する足場用建枠２，２の横材３，３間に架け渡される足場板３０の上面高さが横材３の上面より低い場合に容易に対応可能となり、また足場板３０の上面高さが横材３上面と同等の場合には、隙間塞ぎ板５側が弾性変形してそのまま使用可能な状態となる。
【図面の簡単な説明】
【００１４】
【図１】本発明に係る隙間塞ぎ板付き幅木の設置状態を示す斜視図である。
【図２】同隙間塞ぎ板付き幅木を連続的に設置した状態を示す斜視図である。
【図３】(a) は同隙間塞ぎ板付き幅木の平面図、(b) は正面図である。
【図４】図３の(b) のＡ−Ａ線拡大断面図である。
【図５】(a) は同隙間塞ぎ板付き幅木の要部拡大詳細平面図、(b) は同要部拡大詳細正面図で、両固定金具が収納位置にある状態を示す。
【図６】図５に示す隙間塞ぎ板付き幅木における一方の固定金具の拡大斜視図である。
【図７】(a) は固定金具の板バネを示す斜視図、(b) はロック用板バネの係合突子の係合状態を説明する説明断面図である。
【図８】(a) 〜(c) は同隙間塞ぎ板付き幅木の取付方法を示す説明図である。
【図９】同隙間塞ぎ板付き幅木の取付状態での拡大縦断面図である。
【図１０】同隙間塞ぎ板付き幅木の複数個を積み重ねて梱包する状態の縦断面図である。
【発明を実施するための形態】
【００１５】
以下に本発明の好適な実施形態を図面に基づいて説明すると、本発明に係る隙間塞ぎ板付き幅木１は、図１及び図２に示すように、対向する一対の足場用建枠２，２の横材３，３間に架け渡された足場板３０の側方部に形成される隙間Ｓを塞ぐ隙間塞ぎ板５を備えた幅木であって、両端下部を両足場用建枠２，２の横材３，３上に支持させるようにした幅木本体６と、この幅木本体６の下端部からほぼ直角に一体に延びて、その先端側縁部を足場板３０上に載置させるようにした隙間塞ぎ板５と、幅木本体６の両端部を両足場用建枠２，２の縦材４，４に夫々固定させる一対の固定金具７，８とによって構成される。
【００１６】
上記幅木１の構造についてさらに詳しく説明すれば、隙間塞ぎ板５と幅木本体６とは、金属板をプレス加工して形成されたもので、幅木本体６は、図１、図４及び図６から分かるように、その外面の上部側に断面略コ字状の凹溝部９が幅木本体６の全長に亘り凹設されていて、この凹溝部９の両端部に夫々固定金具７，８が配備されるようになっており、そしてこの凹溝部９に隣接する幅木本体６の外面側下部には、凹溝部９の深さに対応する突出高さの凸状部１０が幅木本体６の全長に亘って形成されている。
【００１７】
幅木本体６は、図１及び図２から分かるように、対向する一対の足場用建枠２，２の横材３，３の軸芯間の距離より僅かに短い長さに形成され、この幅木本体６の下端からほぼ直角に延設される隙間塞ぎ板５は、幅木本体６の長さより短く、足場板３０の長さとほぼ同じ長さになるように、その両端部が切除されており、従って幅木本体６の両端部の下側縁部が、対向する一対の足場用建枠２，２の横材３，３上に支持され、隙間塞ぎ板５は、足場板３０の係止フックＦに乗り上げることなく足場板３０の上面に載置されるようになっている。また図１に示すように、対向する一対の足場用建枠２，２の横材３，３上に支持される幅木本体６の両端部の下側縁部は、強度を補強するためにヘミング加工により内側に折り返された補強部６ｏを形成している。
【００１８】
また、この隙間塞ぎ板５付き幅木１は、図１及び図４に示すように、幅木本体６を起立姿勢に保持させた状態で、隙間塞ぎ板５の先端部を足場板３０の上に載置させるから、幅木本体６と隙間塞ぎ板５との対向角度θは９０度でよいが、足場用建枠２，２の横材３，３間に架け渡した時の足場板３０の上面高さが足場板メーカーによって若干異なるため、どのメーカーの足場板にも対応できるように、その対向角度θが９１度〜９５度の鈍角に形成されている。即ち、図９に示すように、足場用建枠２，２の横材３，３間に架け渡された足場板の上面高さが横材３上面よりも低い足場板３０Ｂの場合には容易に対応可能となり、また足場板の上面高さが横材３上面と同等である足場板３０Ａの場合は、隙間塞ぎ板５側が弾性変形してそのまま使用可能となる。また、この幅木１の隙間塞ぎ板５には、強度補強のための補強リブ１１が長さ方向に条設されている。
【００１９】
幅木本体６の両端部を両足場用建枠２，２の縦材４に夫々固定させる固定金具７，８の一方の固定金具７は、図６及び図８に示すように、一方の足場用建枠２の縦材４外周面に係合する円弧状の係合凹部１２ｏを備えた金具本体１２の基端部を、幅木本体６外面の凹溝部９の一端部に枢軸１３によって水平周りに回転可能に枢着すると共に、金具本体１２を、図５に示すように幅木本体６の一端部からその長手方向外方へ突出する収納位置と、図８に示すように収納位置から外回りにほぼ９０度回転した使用位置との両位置で固定可能にして、その使用位置で係合凹部１２ｏを前記縦材４の外周面に係合させるようにし、他方の固定金具８は、他方の足場用建枠２の縦材４外周面に係合する係合凹部１４ｏを備えた金具本体１４を幅木本体６外面の凹溝部９の他端部に枢軸１５によって水平周りに回転可能に枢着すると共に、常時は図５及び図８の(a) に示すように捻りバネ１６によって幅木本体６の他端部からその長手方向外方へ突出する収納位置に付勢され、しかして捻りバネ１６に抗して金具本体１４を図８の(b) に示すように外周りに９０度以上、例えば１２０度程度回転させた状態から同図の(c) に示すようにほぼ９０度に戻した使用位置で係合凹部１４ｏが前記縦材４の外周面に係合されると共に、この使用位置でロックピン１７により固定金具８をロックするようにしたものである。
【００２０】
上記固定金具７，８についてさらに説明すれば、一方の固定金具７の金具本体１２は、図６から分かるように、両側板１２ａ，１２ａとこれらをつなぐ連結板１２ｂとからなるコ字枠状のもので、各側板１２ａの内端側に円弧状の係合凹部１２ｏが形成されていて、幅木本体６の外面側に凹設された凹溝部９の一端部にリベットＲで取り付けてあるコ字枠状の取付枠１８の側板１８ａ，１８ａ間に、金具本体１２の両側板１２ａ，１２ａの一端部を嵌合させて、ボルトからなる枢軸１３によって水平周りに回転可能に枢着されると共に、ロック用板バネ１９によって図５に示すような収納位置と図８に示すような使用位置とで夫々一時的に固定できるようになっている。
【００２１】
上記ロック用板バネ１９は、図７の(a) に示すように、矩形状基板部２０の一端側に両側一対の耳片２１，２１を突設すると共に、両耳片２１，２１の夫々外面に先端部の丸い係合突子２２，２２を突設してなるもので、図５及び図６に示すように、基板部２０を金具本体１２の連結板１２ｂ内面にリベットＲにより固着すると共に、両耳片２１，２１の係合突子２２，２２を、金具本体１２が図５及び図６に示すように収納位置にある時は金具本体１２の両側板１２ａ，１２ａに設けてある貫通孔２３，２３（図７(b) 参照）から取付枠１８の両側板１８ａ，１８ａの収納位置ロック孔２４，２４に係合させる（図７の(b) 参照）ことによって、金具本体１２を収納位置に固定し、そして図５及び図６に示す状態から金具本体１２を強制的に外周りに回転させると、その回転作用で両耳片２１，２１の係合突子２２，２２が取付枠１８の収納位置ロック孔２４，２４から抜け出そうとすることで、両耳片２１，２１の先端部側が近づく方向に弾性変形し、それにより両係合突子２２，２２は、収納位置ロック孔２４，２４から完全に脱出して、取付枠１８の両側板１８ａ，１８ａ内面を摺動しながら、金具本体１２が収納位置からほぼ９０度回転した使用位置に来ると、取付枠１８の両側板１８ａ，１８ａに設けられた使用位置ロック孔２５，２５に係合し、それによって金具本体１２を使用位置に固定する。また、この使用位置から金具本体１２を収納位置へほぼ９０度回転させると、上記同様に、両係合突子２２，２２が使用位置ロック孔２５，２５から脱出して収納位置で取付枠１８の両側板１８ａ，１８ａの使用位置ロック孔２４，２４に係合し、金具本体１２を収納位置に固定するようになっている。
【００２２】
他方の固定金具８の金具本体１４は、詳細な図示は省略するが、図５(a) ，(b) の夫々右側に示すように、両側板１４ａ，１４ａとこれらをつなぐ連結板１４ｂとからなるコ字枠状のもので、幅木本体６の外面側に凹設された凹溝部９の他端部にリベットＲで取り付けてある取付枠２６の側板２６ａ，２６ａ間に、金具本体１４の両側板１４ａ，１４ａの一端部を嵌合させて、ボルトからなる枢軸１５によって水平周りに回転可能に枢着すると共に、枢軸１５に外嵌させて金具本体１４と取付枠２６との間に介装した捻りバネ１６で常時収納位置に付勢されている。
【００２３】
前記ロックピン１７は、金具本体１４を図８の(b) に示すように外周りに９０度以上の例えば１２０度程度回転させた状態からほぼ９０度に戻した位置、即ち係合凹部１４ｏが足場用建枠２の縦材４外周面に係合した使用位置で固定金具８をロックするものであり、図５の(a) ，(b) から分かるように、取付枠２６の両側板２６ａ，２６ａに軸架された支軸部１７ａと、この支軸部１７ａから外側へ直角に折曲延設されたピン本体部１７ｂと、このピン本体部１７ｂの先端部から直角に折曲されて内向きに突出し、金具本体１４に設けられたロック孔２８又は幅木本体６に設けられた待機孔２９に係入する係止部１７ｃとからなり、常時は支軸部１７ａがコイルバネ２７によって軸方向の一方向に付勢されて、係止部１７ｃがロック孔２８又は待機孔２９に係入し得る状態にあって、金具本体１４が収納位置にある時は係止部１７ｃを幅木本体６の待機孔２９に係入させる。
【００２４】
尚、ロック孔２８は、固定金具７の金具本体１４を形成する片方の側板１４ａの先端部に設ければよいのであるが、この実施形態では、両側の固定金具７，８の金具本体１２，１４には全く同じ構造の部材を向きを代えて使用することから、金具本体１２，１４の製作にあたって１種類の部材で済むように、金具本体１４では両側板１４ａ，１４ａの夫々の先端部にロック孔２８が形成され、金具本体１２の両側板１２ａ，１２ａにも夫々の先端部にロック孔２８として使用できるように孔が形成されている。
【００２５】
上記のように構成される隙間塞ぎ板５付き幅木１を、図１に示すように対向する一対の足場用建枠２，２の横材３，３間に架け渡された足場板３０の側方部に形成される隙間Ｓ、詳しくは足場板３０と両足場用建枠２，２の縦材４，４側との間に形成される隙間Ｓを塞ぐように設置するにあたっては、先ず図８の(a) に示すように、一方の固定金具７の金具本体１２を手で収納位置からほぼ９０度回転させて使用位置に固定し、他方の固定金具８の金具本体１２は収納位置に保持させたままの状態にしておく。
【００２６】
それから、幅木１の全体を所要高さに持ち上げて、図８の(b) に示すように、幅木本体６の一端部側を一方の足場用建枠２の縦材４に近づけて、使用位置にある一方の固定金具７の金具本体１２の係合凹部１２ｏをその縦材４外周面に係合させ、しかして他方の固定金具８の金具本体１４を捻りバネ１６の付勢力に抗して手で外向きに例えば１２０度程度まで回転させた状態で、当該他方の固定金具８の設けられた側の幅木本体６の端部を他方の足場用建枠２の縦材４に近づけて、両方の固定金具７，８が両足場用建枠２，２の縦材４，４間に納まるようにした後、金具本体１４から手を離して、捻りバネ１６の付勢力で係合凹部１４ｏを縦材４の外周面に係合させ、このような状態で隙間塞ぎ板５の先端部を足場板３０の側端部上に載置すると共に、幅木本体６の下側縁両端部を両足場用建枠２，２の横材３，３上に支持させる。
【００２７】
この後、ロックピン１７のピン本体部１７ｂを手で掴んで持ち上げて、係止部１７ｃを幅木本体６の待機孔２９から引き抜いた後、支軸部１７ａ周りに回転させて、その係止部１７ｃを金具本体１４のロック孔２８に係入し、金具本体１４を使用位置にロックし、これによって隙間塞ぎ板５付き幅木１の設置作業を完了し、その設置状態は図１に示す通りである。図２は、図１に示される隙間塞ぎ板５付き幅木１の手前側に同様な隙間塞ぎ板５付き幅木１を上記同様な方法で連続的に設置した状態を示している。
【００２８】
以上説明したように、本発明に係る隙間塞ぎ板５付き幅木１は、両端下部を両足場用建枠２，２の横材３，３上に支持させるようにした幅木本体６と、この幅木本体６の下端部からほぼ直角に一体に延びて、先端側縁部を足場板３０上に載置するようにした隙間塞ぎ板５と、幅木本体６の両端部を両足場用建枠２，２の縦材４，４に夫々固定させる一対の固定金具７，８とからなるもので、幅木本体６の両端下部を両足場用建枠２，２の横材３，３上に支持させると共に、隙間塞ぎ板５の先端部を足場板３０上に載置して、幅木本体６の両端部を固定金具７，８により両足場用建枠２，２の縦材４，４に固定するだけで、対向する一対の足場用建枠２，２の横材３，３間に架け渡された足場板３０の側方部に形成される隙間Ｓを隙間塞ぎ板５によって塞ぐことができ、作業の安全を確保できると共に、作業床の有効面積を広くとることができる。そしてまた、隙間塞ぎ板５と幅木本体６とが一体に形成された簡単な構造で、部品点数が少ないため、製作が容易でコストの低廉化を図ることができる。
【００２９】
また、一対の固定金具７，８の一方７は、一方の足場用建枠２の縦材４外周面に係合する係合凹部１２ｏを備えた金具本体１２の基端部を幅木本体６の一端部に水平周りに回転可能に枢着すると共に、この金具本体１２を、幅木本体６の一端部からその長手方向外方へ突出する収納位置と、収納位置から外回りにほぼ９０度回転した使用位置との両位置で固定可能とし、使用位置において係合凹部１２ｏを前記縦材４外周面に係合させるようにし、他方の固定金具８は、他方の足場用建枠２の縦材４外周面に係合する係合凹部１４ｏを備えた金具本体１４を幅木本体６の他端部に水平周りに回転可能に枢着すると共に、常時はバネ１６で幅木本体６の他端部からその長手方向外方へ突出する収納位置に付勢され、バネ１６に抗して金具本体１４を収納位置から外周りに９０度以上回転させた状態からほぼ９０度に戻した収納位置で係合凹部１４ｏが前記縦材４外周面に係合されると共に、この収納位置でロックピン１７によって固定金具８をロックするようにしてなるもので、一方の固定金具７の金具本体１２を手で収納位置からほぼ９０度回転させて使用位置に固定し、他方の固定金具８の金具本体１４は収納位置に保持させたままとし、そして、幅木１の全体を所要高さに持ち上げて、幅木本体６の一端部側を一方の足場用建枠２の縦材４に近づけて、一方の固定金具７の金具本体１２の係合凹部１２ｏを縦材４外周面に係合させ、他方の固定金具８の金具本体１４を捻りバネ１６に抗して手で外向きに例えば１２０度程度まで回転させた状態で、幅木本体６の当該端部を他方の足場用建枠２の縦材４に近づけて両方の固定金具７，８を両足場用建枠２，２の縦材４，４間に納めた後、金具本体１４から手を離して、係合凹部１４ｏを縦材４の外周面に係合させ、斯かる状態で隙間塞ぎ板５の先端部を足場板３０の側端部上に載置すると共に、幅木本体６の下側縁両端部を両足場用建枠２，２の横材３，３上に支持させ、この後、ロックピン１７の係止部１７ｃを金具本体１４のロック孔２８に係入すればよいから、隙間塞ぎ板５付き幅木１の設置作業を、工具を用いることなく、手作業で簡単容易に行うことができる。
【００３０】
そしてまた、この隙間塞ぎ板５付き幅木１は、図４及び図９に示すように幅木本体６と隙間塞ぎ板５との対向角度θが９１度〜９５度の鈍角になるように形成されているから、対向する足場用建枠２，２の横材３，３間に架け渡される足場板３０の上面高さが図９の３０Ｂで示す足場板のように横材３の上面よりも低い場合は容易に対応可能となり、また図９の３０Ａで示す足場板のように上面高さが横材３の上面と同等の場合には、隙間塞ぎ板５が弾性変形してそのまま使用可能な状態となる。
【００３１】
また、この隙間塞ぎ板５付き幅木１では、幅木本体６と隙間塞ぎ板５とは金属板により一体に形成されたもので、幅木本体６の外面上部側に凹溝部９が全長に亘って凹設され、この凹溝部９の両端部に固定金具７，８が夫々配備されていて、この凹溝部９に隣接する幅木本体６の外面側下部に、凹溝部９の深さに対応する突出高さの凸状部１０が幅木本体６の全長に亘り突設されているため、梱包にあたって隙間塞ぎ板５付き幅木１の複数枚を図１０に示すように各幅木本体６が上下に重なるように積み重ね積層する時に、幅木本体６どうしの納まりが良く、各幅木本体６が水平姿勢で平行状態に積層されて、安定した積層梱包を行うことができる。
【符号の説明】
【００３２】
１            幅木
２            足場用建枠
３            足場用建枠の横材
４            足場用建枠の縦材
５            隙間塞ぎ板
６            幅木本体
７            固定金具
８            固定金具
９            凹溝部
１０          凸状部
１２          金具本体
１２ｏ        係合凹部
１３          枢軸
１４          金具本体
１４ｏ        係合凹部
１５          枢軸
１６          捻りバネ
１７          ロックピン
３０          足場板
【図１】
0005587621.tif 000002
【図２】
0005587621.tif 000003
【図３】
0005587621.tif 000004
【図４】
0005587621.tif 000005
【図５】
0005587621.tif 000006
【図６】
0005587621.tif 000007
【図７】
0005587621.tif 000008
【図８】
0005587621.tif 000009
【図９】
0005587621.tif 000010
【図１０】
0005587621.tif 000011